(57)【要約】【課題】撮影時に撮影者が、撮影者側のカメラで撮影した画像とその反対側のカメラで撮影した画像とを含む合成画像を容易に作成すること。【解決手段】撮影者側の第一カメラ１２と、その反対側の第二カメラ１３と、第一カメラモード及び第二カメラモードのうちいずれか一方の撮影モードの選択操作を受け付ける操作受付部１１と、撮影モードの選択結果に応じて、第一カメラ１２で撮影された第一画像及び前記第二カメラ１３で撮影された第二画像の画像処理を行う画像処理部２３と、画像処理部２３で処理された画像を表示する表示部１４とを備え、画像処理部２３は、第一カメラモードが選択される場合、第一画像に対して第二画像の一部を組み込むことによって第一合成画像を作成し、第二カメラモードが選択される場合、第二画像に対して第一画像の一部を組み込むことによって第二合成画像を作成することを特徴とする携帯端末１。【選択図】図２
2011217121.tif 000002
【特許請求の範囲】
【請求項１】
撮影者側を向くように設けられた第一カメラと、
前記第一カメラの反対側を向くように設けられた第二カメラと、
第一カメラモード及び第二カメラモードのうちいずれか一方の撮影モードを選択する選択操作を受け付ける操作受付手段と、
前記操作受付手段が受け付けた前記撮影モードの選択結果に応じて、前記第一カメラで撮影された第一画像及び前記第二カメラで撮影された第二画像の画像処理を行う画像処理手段と、
前記画像処理手段で処理された画像を表示する表示手段と、を備え、
前記画像処理手段は、
前記第一カメラモードが選択されている場合に、前記第一画像に対して前記第二画像の一部を組み込むことによって第一合成画像を作成し、
前記第二カメラモードが選択されている場合に、前記第二画像に対して前記第一画像の一部を組み込むことによって第二合成画像を作成することを特徴とする携帯端末。
【請求項２】
前記第一カメラによる前記第一画像の撮影と前記第二カメラによる前記第二画像の撮影とを同時に実施するカメラ制御手段を更に備えた請求項１に記載の携帯端末。
【請求項３】
前記操作受付手段は、前記第一カメラ及び前記第二カメラによる撮像の後、前記第一画像に対する前記第二画像の一部の配置位置の調整操作、又は前記第二画像に対する前記第一画像の一部の配置位置の調整操作を受け付ける請求項１または請求項２に記載の携帯端末。
【請求項４】
前記画像処理手段は、
前記第一合成画像を作成する場合に、前記第二画像に半透明処理を施した後に前記第一画像に対して前記第二画像の一部を組み込み、
前記第二合成画像を作成する場合に、前記第一画像に半透明処理を施した後に前記第二画像に対して前記第一画像の一部を組み込む請求項１〜３のいずれか一項に記載の携帯端末。
【発明の詳細な説明】
【技術分野】
【０００１】
本発明は、携帯端末に関する。
【背景技術】
【０００２】
携帯電話機などの携帯端末には、ディスプレイ画面と同じ側に設けられるインカメラと、ディスプレイ画面と反対側に設けられるアウトカメラとを搭載するものがある（例えば、特許文献１を参照）。このような従来の携帯端末では、インカメラまたはアウトカメラのいずれか一方のカメラを起動して撮影を行う。
【先行技術文献】
【特許文献】
【０００３】
【特許文献１】特開２００８−１７７８１９号公報
【発明の概要】
【発明が解決しようとする課題】
【０００４】
ところで、例えば複数人の集合写真を撮る場合に、撮影者一人だけは被写体から漏れてしまう。撮影者を含む集合写真を撮るには、撮影者を交代するか、セルフタイマー機能を用いるなどの必要があった。また、例えば旅行先の風景に撮影者自身を含む写真を撮影する場合に、他人に撮影を依頼するかセルフタイマー機能を用いるなどの必要があった。このように、撮影時に、撮影者の画像と撮影者以外の画像の両方を含む画像を撮影することは煩雑であった。
【０００５】
本発明は、上記課題の解決のためになされたものであり、撮影者側のカメラで撮影された画像と、その反対側のカメラで撮影された画像と、を含む合成画像を撮影時に撮影者が容易に作成することができる携帯端末を提供することを目的とする。
【課題を解決するための手段】
【０００６】
上記課題の解決のため、本発明に係る携帯端末は、撮影者側を向くように設けられた第一カメラと、第一カメラの反対側を向くように設けられた第二カメラと、第一カメラモード及び第二カメラモードのうちいずれか一方の撮影モードを選択する選択操作を受け付ける操作受付手段と、操作受付手段が受け付けた撮影モードの選択結果に応じて、第一カメラで撮影された第一画像及び前記第二カメラで撮影された第二画像の画像処理を行う画像処理手段と、画像処理手段で処理された画像を表示する表示手段と、を備え、画像処理手段は、第一カメラモードが選択されている場合に、第一画像に対して第二画像の一部を組み込むことによって第一合成画像を作成し、第二カメラモードが選択されている場合に、第二画像に対して第一画像の一部を組み込むことによって第二合成画像を作成することを特徴としている。
【０００７】
この携帯端末では、撮影者が、撮影者側を向くように設けられた第一カメラによって第一画像を撮影するとともに、第一カメラの反対側を向くように設けられた第二カメラによって第二画像を撮影することができる。また撮影者は操作受付手段で撮影モードを選択することができ、画像処理手段ではその選択結果に基づいて、第一画像及び第二画像を含む合成画像が作成される。より具体的には、撮影モードとして第一カメラモードが選択されている場合に、画像処理手段において、第一画像に対して第二画像の一部を組み込むことによって第一合成画像が作成される。一方、撮影モードとして第二カメラモードが選択されている場合に、画像処理手段において、第二画像に対して第一画像の一部を組み込むことによって第二合成画像が作成される。したがって、撮影時に撮影者が、撮影者側を向くように設けられた第一カメラで撮影された第一画像と、第一カメラの反対側を向くように設けられた第二カメラで撮影された第二画像と、を含む合成画像を容易に作成することができる。例えば集合写真を撮る場合に、撮影者の交代をする必要なく、撮影時に撮影者が撮影者自身を含む集合写真を容易に作成できる。
【０００８】
また、第一カメラによる第一画像の撮影と第二カメラによる第二画像の撮影とを同時に実施するカメラ制御手段を更に備えることが好ましい。この場合、第一又は第二合成画像を１度の撮影で作成することができる。
【０００９】
また、操作受付手段は、第一カメラ及び第二カメラによる撮像の後、第一画像に対する第二画像の一部の配置位置の調整操作、又は第二画像に対する第一画像の一部の配置位置の調整操作を受け付けることが好ましい。この場合、第一画像及び第二画像を所望の位置に配置した第一又は第二合成画像を作成することができる。
【００１０】
また、画像処理手段は、第一合成画像を作成する場合に、第二画像に半透明処理を施した後に第一画像に対して第二画像の一部を組み込み、第二合成画像を作成する場合に、第一画像に半透明処理を施した後に第二画像に対して第一画像の一部を組み込むことが好ましい。この場合、第一合成画像を作成する場合には、第一画像を主とした第一合成画像を効果的に作成することができ、第二合成画像を作成する場合には、第二画像を主とした第二合成画像を効果的に作成することができる。
【発明の効果】
【００１１】
本発明に係る携帯端末よれば、撮影時に撮影者が、撮影者側のカメラで撮影した画像と、その反対側のカメラで撮影した画像と、を含む合成画像を容易に作成することができる携帯端末を提供することができる。
【図面の簡単な説明】
【００１２】
【図１】図１（ａ）は、本発明に係る携帯端末の表示面を示す図である。図１（ｂ）は、本発明に係る携帯端末の裏面を示す図である。
【図２】図２は、本発明に係る携帯端末の機能的な構成要素を示すブロック図である。
【図３】図３は、本発明に係る携帯端末の動作を示すフローチャートである。
【図４】図４は、撮影時に表示部に表示される第一画像及び第二画像の一例を示す図である。
【図５】図５は、第一カメラモードを選択した場合の第一合成画像の一例を示す図である。
【図６】図６は、第二カメラモードを選択した場合の第二合成画像の一例を示す図である。
【発明を実施するための形態】
【００１３】
以下、図面を参照しながら、本発明に係る携帯端末の好適な実施形態について詳細に説明する。図１（ａ）は、本発明に係る携帯端末の表示面を示す図であり、図１（ｂ）は、本発明に係る携帯端末の裏面を示す図である。携帯端末１は、物理的には、ＣＰＵ、メモリ、通信インタフェイス、ハードディスク等の格納部、操作受付部１１、第一カメラ１２、第二カメラ１３、及び液晶パネルディスプレイなどの表示部１４等を備えた携帯電話機である。
【００１４】
表示部１４は、携帯端末１の表示面に設けられ、第一カメラ１２及び第二カメラ１３で撮影された画像や、各種の機能アイコンが表示されたメニュー画面などが表示される部分である。
【００１５】
第一カメラ１２は、表示部１４の設けられている携帯端末１の表示面と同じ側である撮影者側を向くように設けられ、操作受付部１１からの指示により起動されると、第一画像を撮影する部分である。本実施形態における第一画像は、撮影者の顔画像である。
【００１６】
第二カメラ１３は、第一カメラ１２の反対側（携帯端末１の表示面と反対の裏面側）を向くように設けられ、操作受付部１１からの指示により起動されると、第二画像を撮影する部分である。本実施形態における第二画像は、撮影者を除く複数人からなるグループの集合画像である。
【００１７】
操作受付部１１は、携帯端末１の例えば表示部１４と同じ表示面側に設けられ、テンキーや十字キーなどの操作ボタンを含み、ユーザによる各種操作の入力が行われる部分である。具体的に操作受付部１１は、第一カメラ１２及び第二カメラ１３の起動操作が行われる部分である。また操作受付部１１は、撮影前に撮影モードを選択する選択操作やその選択操作を決定する操作などが行われる部分である。ここで、撮影モードは、第一カメラモード及び第二カメラモードのいずれか一方から選択、決定される。第一カメラモードとは、第一画像に対して第二画像の一部を組み込むことによって第一合成画像が作成される撮影モードである。一方、第二カメラモードとは、第二画像に対して第一画像の一部を組み込むことによって第二合成画像が作成される撮影モードである。
【００１８】
また操作受付部１１は、撮影時に、第一カメラ１２で撮影される第一画像の決定と、第二カメラ１３で撮影される第二画像の決定と、が行われる部分である。また、操作受付部１１の操作によって、第一カメラ１２のシャッター及び第二カメラ１３のシャッターを同時に切ることにより、第一画像及び第二画像が同時に撮影される。また操作受付部１１は、撮影後に第一又は第二合成画像を作成する際に、第一画像及び第二画像の配置の調整、選択や決定が行われる部分である。
【００１９】
図２は、本発明に係る携帯端末の機能的な構成要素を示すブロック図である。携帯端末１は、機能的な構成要素として、操作判断部２１と、操作情報格納部２２と、画像処理部２３と、カメラ制御部２４とを備えており、操作受付部１１からの操作に基づいて、第一カメラ１２で撮影された第一画像と、第二カメラ１３で撮影された第二画像とを含む第一又は第二合成画像を作成して、表示部１４に表示させる機能を有している。以下、各構成要素について説明する。
【００２０】
操作判断部２１は、操作受付部１１から入力されるユーザによる各種操作を判断する部分である。具体的に操作判断部２１において、撮影前に操作受付部１１で撮影モードを選択する操作の決定がなされたことが検出されると、その撮影モードに関する信号が操作情報格納部２２に出力される。また操作判断部２１において、撮影時に操作受付部１１で第一画像の決定がなされたことが検出されると、カメラ制御部２４を介して第一カメラ１２に撮影指示に関する信号が出力される。また操作判断部２１において、撮影時に操作受付部１１で第二画像の決定がなされたことが検出されると、カメラ制御部２４を介して第二カメラ１３に撮影指示に関する信号が出力される。また、操作判断部２１において、撮影後に第一又は第二合成画像を作成する際に、操作受付部１１で第一画像及び第二画像の配置の調整、選択や決定がなされたことが検出されると、画像処理部２３に第一又は第二合成画像に関する信号が出力される。
【００２１】
操作情報格納部２２は、操作判断部２１から出力される例えば撮影モードに関する信号などの操作情報を格納する部分である。操作情報格納部２２は、例えばメモリなどである。
【００２２】
画像処理部２３は、第一画像及び第二画像の画像処理を行う部分であり、撮影前に操作受付部１１で受け付けた撮影モードの選択結果に応じて、撮影後に第一画像及び第二画像を含む第一又は第二合成画像を作成する部分である。具体的には、画像処理部２３において、操作情報格納部２２に格納されている撮影モードに関する信号を読み取ることで、選択されている撮影モードが判断される。画像処理部２３において、例えば第一カメラモードが選択されていると判断された場合に、第一画像に対して第二画像の一部を組み込むことによって第一合成画像が作成される。あるいは、画像処理部２３において、第二カメラモードが選択されていると判断された場合に、第二画像に対して第一画像の一部を組み込むことによって第二合成画像が作成される。画像処理部２３は、このようにして作成した第一又は第二合成画像に関する信号を表示部１４へ出力する。表示部１４は、画像処理部２３からの第一又は第二合成画像に関する信号に基づいて、合成画像を表示する。
【００２３】
カメラ制御部２４は、操作判断部２１からの撮影指示に関する信号に基づいて、第一カメラ１２による第一画像の撮影と第二カメラ１３による第二画像の撮影を制御する部分である。
【００２４】
続いて、上述した携帯端末１の具体的な動作について、図３に示すフローチャートを参照しながら説明する。図３に示すように携帯端末１では、まず、ユーザである撮影者が操作受付部１１を操作することによりカメラ機能を起動する（ステップＳ１）。操作受付部１１でカメラ機能の選択操作を行ったことを操作判断部２１が検出すると、操作判断部２１はカメラ制御部２４に第一カメラ１２及び第二カメラ１３の起動に関する信号を出力する。カメラ制御部２４は、この起動に関する信号に基づいて、第一カメラ１２と第二カメラ１３の両方を起動する。
【００２５】
次に、携帯端末１では撮影モードを選択する選択操作を受け付ける（ステップＳ２）。例えば表示部１４に「第一カメラモード」のアイコンと「第二カメラモード」のアイコンが選択可能に表示される。次いで、操作受付部１１の操作により、撮影モードの受け付けの選択・決定がなされる（ステップＳ３）。具体的には、ユーザである撮影者が操作受付部１１の選択操作によって、表示部１４に表示されている「第一カメラモード」のアイコンと「第二カメラモード」のアイコンのいずれか一方を選択する。操作判断部２１は、操作受付部１１で撮影モードの選択決定がなされたことを検出すると、その撮影モードに関する信号を操作情報格納部２２に出力し、操作情報格納部２２に撮影モードに関する信号が格納される。
【００２６】
続いて、第一カメラ１２及び第二カメラ１３の両カメラによる撮影を開始する（ステップＳ４）。撮影時には、例えば図４に示すように第一カメラ１２で撮影される第一画像Ａが、表示部１４のうち下側の領域に表示されるとともに、第二カメラ１３で撮影される第二画像Ｂが、表示部１４のうち上側の領域に表示される。このように撮影時に、第一画像Ａ及び第二画像Ｂが表示部１４に同時に表示されることにより、被写体の位置合わせを容易に確認できる。被写体の位置合わせは、ユーザである撮影者が例えば携帯端末１を適宜動かすことにより行う。
【００２７】
被写体の位置合わせ後、第一画像Ａ及び第二画像Ｂの両方の撮影画像を決定し、同時撮影する（ステップＳ５）。具体的には、撮影者による操作受付部１１の操作によって同時撮影に関する指示信号が操作判断部２１を介してカメラ制御部２４へ出力される。カメラ制御部２４はこの同時撮影に関する指示信号に基づいて、第一カメラ１２及び第二カメラ１３を制御することにより、第一カメラ１２のシャッター及び第二カメラ１３のシャッターを同時に切ることで、第一画像Ａ及び第二画像Ｂの撮影を同時に行う。なお、必要に応じて、第一画像Ａ及び第二画像Ｂをメモリなどの記憶部に保存する。
【００２８】
その後、第一画像Ａ及び第二画像Ｂの両画像を含む第一合成画像又は第二合成画像を作成する画像処理を開始する（ステップＳ６）。具体的には、まず画像処理部２３は操作情報格納部２２に格納されている撮影モードに関する信号を読み取ることにより選択されている撮影モードを判断する。
【００２９】
画像処理部２３は、第一カメラモードが選択されていると判断した場合に、第一画像Ａに対して第二画像Ｂの一部Ｂ１を組み込むことによって第一合成画像Ｃ１を作成する。ここで第二画像Ｂは、例えば図４に示すような複数人のグループを含む四角形状の画像であり、第二画像Ｂの一部Ｂ１は、例えば図５に示すようなグループをなす複数人の一部を含むとともに図４に示す矩形状の画像の一部をなす長方形の画像である。そして画像処理部２３は、第一カメラモードで作成した第一合成画像Ｃ１に関する信号を表示部１４へ出力する。表示部１４は、この第一合成画像Ｃ１に関する信号に基づいて、図５に示すような、第一画像Ａ及び第二画像Ｂの一部Ｂ１を含む１つの第一合成画像Ｃ１を１つの画面に表示する。
【００３０】
一方、画像処理部２３は例えば第二カメラモードが選択されていると判断した場合に、図６に示すように、第二画像Ｂに対して第一画像Ａの一部Ａ１を組み込むことによって第二合成画像Ｃ２を作成する。ここで第一画像Ａは、例えば図４に示すような撮影者の顔を含む矩形状の画像であり、第一画像Ａの一部Ａ１は、例えば図５に示すような撮影者の顔を含むとともに図４に示す矩形状の画像の一部をなす円形状の画像である。そして画像処理部２３は、第二カメラモードで作成した第二合成画像Ｃ２に関する信号を表示部１４へ出力する。表示部１４は、この第二合成画像Ｃ２に関する信号に基づいて、図６に示すような、第一画像Ａの一部Ａ１及び第二画像Ｂを含む１つの第二合成画像Ｃ２として表示する。
【００３１】
また、必要に応じて第一合成画像Ｃ１又は第二合成画像Ｃ２の編集を行う（ステップＳ７）。第一合成画像Ｃ１又は第二合成画像Ｃ２の編集は、第一カメラモードが選択されている場合に、ユーザである撮影者が操作受付部１１を操作することにより、図５に示す矢印Ｗのように第二画像Ｂの一部Ｂ１の配置を調整する。すなわち、第二画像Ｂの一部Ｂ１を上下左右に移動させて、第一画像Ａの背面の空白部分などの所望の位置に配置して行う。あるいは、第二カメラモードが選択されている場合に、ユーザである撮影者が操作受付部１１を操作することにより、図６に示す矢印Ｗのように第一画像Ａの一部Ａ１の配置を調整する。すなわち、第一画像Ａの一部Ａ１を上下左右に移動させて、第二画像Ｂの空白部分などの所望の位置に配置して行う。このように、操作受付部１１は、第一カメラ１２及び第二カメラ１３による撮像の後、第一画像Ａに対する第二画像Ｂの一部Ｂ１の配置位置の調整操作、又は第二画像Ｂに対する第一画像Ａの一部Ａ１の配置位置の調整操作を受け付けることが好ましい。この場合、第一画像Ａ及び第二画像Ｂを所望の位置に配置した第一合成画像Ｃ１又は第二合成画像Ｃ２を携帯端末１を用いて簡便に作成することができる。
【００３２】
最後に、第一合成画像Ｃ１又は第二合成画像Ｃ２の決定と保存を行う（ステップＳ８）。第一合成画像Ｃ１又は第二合成画像Ｃ２の決定や保存は例えば操作受付部１１の操作により行い、第一合成画像Ｃ１又は第二合成画像Ｃ２の保存を例えばメモリなどの記憶部にする。
【００３３】
以上説明したように、この携帯端末１では、撮影者が、撮影者側を向くように設けられた第一カメラ１２によって第一画像Ａを撮影するとともに、第一カメラ１２とは反対側を向くように設けられた第二カメラ１３によって第二画像Ｂを撮影することができる。ここで、撮影モードとして第一カメラモードが操作受付部１１により選択されている場合に、画像処理部２３において、第一画像Ａに対して第二画像Ｂの一部Ｂ１を組み込むことによって第一合成画像Ｃ１が作成される。一方、撮影モードとして第二カメラモードが操作受付部１１により選択されている場合に、画像処理部２３において、第二画像Ｂに対して第一画像Ａの一部Ａ１を組み込むことによって第二合成画像Ｃ２が作成される。したがって、撮影時に撮影者が、撮影者側を向く第一カメラ１２で撮影した第一画像及びその反対側を向く第二カメラ１３で撮影した第二画像の両画像を含むような、第一合成画像Ｃ１又は第二合成画像Ｃ２を容易に作成することができる。例えば複数人からなるグループの集合画像である場合に、グループの集合画像として、撮影者が撮影した撮影者以外の画像のみならず撮影者自身の画像を作成することができる。よって、撮影者の交代やセルフタイマー機能を用いることなく、撮影者だけが被写体から漏れることがなくなる。これにより、撮影者の疎外感の払拭や撮影者を含めたグループの一体感が形成される。
【００３４】
また、画像処理部２３は、第一合成画像Ｃ１を作成する場合に、第二画像Ｂに半透明処理を施した後に、第一画像Ａに対して第二画像Ｂの一部Ｂ１を組み込むことが好ましい。また、必要に応じて、図５に示すように、第一画像Ａの一部（ここでは顔画像）を抽出してから、半透明処理を施した第二画像Ｂの一部Ｂ１を組み込んでもよい。
あるいは、画像処理部２３は、第二合成画像Ｃ２を作成する場合に、第一画像Ａに半透明処理を施した後に第二画像Ｂに対して第一画像Ａの一部Ａ１を組み込むことが好ましい。この場合、第一合成画像Ｃ１を作成する場合には、第一画像Ａを主とした第一合成画像Ｃ１を効果的に作成することができ、第二合成画像Ｃ２を作成する場合には、第二画像Ｂを主とした第二合成画像Ｃ２を効果的に作成することができる。また半透明処理に限らず、種々の画像処理加工を施してもよい。
【００３５】
以下、変形例を説明する。上記実施形態では、撮影モードの受付を行うステップＳ２及び撮影モードの選択・決定を行うステップＳ３が、撮影開始のステップＳ４及び撮影画像の決定を行うステップＳ５の前に行われる例を示した。しかし逆に、撮影開始のステップＳ４及び撮影画像の決定を行うステップＳ５の後に、撮影モードの受付を行うステップＳ２及び撮影モードの選択・決定を行うステップＳ３を行ってもよい。また、ステップＳ５において、撮影者が操作受付部１１を操作して、第一カメラ１２のシャッター及び第二カメラ１３のシャッターを同時に切ることで、第一画像Ａ及び第二画像Ｂが同時に撮影される場合を示した。しかし、必ずしも同時に撮影する必要はなく、撮影者を交代することなく、第一画像Ａ及び第二画像Ｂのいずれか一方の画像を先に撮影した後、残りの一方の画像を例えば数秒後などに撮影してもよい。
【００３６】
また、操作受付部１１が、表示部１４とは別に設けられる例を示したが、携帯端末１が例えばタッチパネル操作式である場合、操作受付部１１は表示部１４自体に組み込まれていてもよい。また、上記実施形態では、第一画像Ａが撮影者の顔画像である例を示したが、第一画像Ａは、例えば撮影者の全身画像などでもよい。また、第二画像Ｂが撮影者を除いた複数人からなるグループの集合画像である例を示したが、第二画像Ｂは、撮影者を除いた例えば風景画像などでもよい。また、第一カメラ１２及び第二カメラ１３による撮影において、例えば、ピント合わせを自動化するオートフォーカス機能や、顔検出機能などの種々の撮影補助機能を利用してもよい。これらのいずれの場合においても、上記実施形態と同様に、撮影時に撮影者が、撮影者側の第一カメラで撮影した第一画像とその反対側の第二カメラで撮影した第二画像の両方を含む合成画像を容易に作成することができる。
【符号の説明】
【００３７】
１…携帯端末、１１…操作受付部、１２…第一カメラ、１３…第二カメラ、１４…表示部、２１…操作判断部、２２…操作情報格納部、２３…画像処理部。
【図１】
2011217121.tif 000003
【図２】
2011217121.tif 000004
【図３】
2011217121.tif 000005
【図４】
2011217121.tif 000006
【図６】
2011217121.tif 000007
【図５】
2011217121.tif 000008